(57)【要約】      （修正有）【課題】足裏に伝わる衝撃や振動を十分に吸収し、足裏の形状に合わせて底部材が追随して変形することで、履き心地や歩き易さを向上したスリッパを提供する。【解決手段】足が載置される底部材２と、底部材２の一方縁側から他方縁側にかけて延長されて足の甲を被覆するための甲被覆材とを備え、底部材２は、底部を構成する底部側弾性補強材２１と、足裏面が載置される足裏側弾性補強材２２と、上方に向けて凸状に屈曲された状態で各弾性補強材２１、２２の間に挿入され、各弾性補強材２１、２２よりも高弾性率からなるととともに足裏から重力が負荷された場合に屈曲された部位が底部側弾性補強材２１に向けて弾性的に近接可能な反発材とを有することを特徴とする。【選択図】図４
0003184409.tif 000002
【実用新案登録請求の範囲】
【請求項１】
足が載置される底部材と、
上記底部材の一方縁側から他方縁側にかけて延長されて足の甲を被覆するための甲被覆材とを備え、
上記底部材は、底部を構成する底部側弾性補強材と、足裏面が載置される足裏側弾性補強材と、上方に向けて凸状に屈曲された状態で上記各弾性補強材の間に挿入され、上記各弾性補強材よりも高弾性率からなるととともに足裏から重力が負荷された場合に上記屈曲された部位が上記底部側弾性補強材に向けて弾性的に近接可能な反発材とを有すること
を特徴とするスリッパ。
【請求項２】
上記反発材は、足裏の土踏まずに応じた箇所に上記屈曲された部位が位置するように挿入されること
を特徴とする請求項１記載のスリッパ。
【請求項３】
上記各弾性補強材は、ＥＶＡ（エチレン−酢酸ビニル共重合樹脂）であり、
上記反発材は、ＰＰＣ（プロピレンカーボネート）であること
を特徴とする請求項１又は２記載のスリッパ。
【請求項４】
上記足裏側弾性補強材の表面には、指の付け根に応じた箇所に凸部が形成されてなること
を特徴とする請求項１〜３のうち何れか１項記載のスリッパ。
【考案の詳細な説明】
【技術分野】
【０００１】
本考案は、スリッパに関し、特に足裏に伝わる衝撃や振動を十分に吸収し、足裏の形状に合わせて底部材が追随して変形することで、履き心地や歩き易さを向上させる上で好適なスリッパに関するものである。
【背景技術】
【０００２】
従来より、底部材を弾性材料で構成したスリッパが使用されている。特許文献１の開示技術では、弾性合成樹脂材を底部材とすることで、足裏へ負荷される衝撃を吸収するとともに、底部材を足裏の形状に合わせて変形可能とすることで履き心地の向上を図ったスリッパが提案されている。
【先行技術文献】
【特許文献】
【０００３】
【特許文献１】実用新案登録第３１０５１５２号公報
【考案の概要】
【考案が解決しようとする課題】
【０００４】
しかしながら、特許文献１の開示技術には、弾性合成樹脂部材の具体的な素材の開示はない。このため、特許文献１に開示のスリッパにおいて、変形し易い軟らかい弾性合成樹脂部材が底部材として使用された場合には、足裏に伝わる衝撃や振動を十分に吸収できず、使用期間が長くなると体重により底部材が変形して履き心地が却って悪化してしまう。また、底部材の弾性率があまりに高い合成樹脂部材を使用した場合には、足裏の形状に合わせて底部材が追随して変形しにくくなり、履き心地が悪化してしまう。
【０００５】
そこで本考案は、上述した問題点に鑑みて案出されたものであり、特に足裏に伝わる衝撃や振動を十分に吸収し、足裏の形状に合わせて底部材が追随して変形することで、履き心地や歩き易さを向上させることが可能なスリッパを提供することにある。
【課題を解決するための手段】
【０００６】
請求項１記載のスリッパは、足が載置される底部材と、上記底部材の一方縁側から他方縁側にかけて延長されて足の甲を被覆するための甲被覆材とを備え、上記底部材は、底部を構成する底部側弾性補強材と、足裏面が載置される足裏側弾性補強材と、上方に向けて凸状に屈曲された状態で上記各弾性補強材の間に挿入され、上記各弾性補強材よりも高弾性率からなるととともに足裏から重力が負荷された場合に上記屈曲された部位が上記底部側弾性補強材に向けて弾性的に近接可能な反発材とを有することを特徴とする。
【０００７】
請求項２記載のスリッパは、請求項１記載の発明において、上記反発材は、足裏の土踏まずに応じた箇所に上記屈曲された部位が位置するように挿入されることを特徴とする。
【０００８】
請求項３記載のスリッパは、請求項１又は２記載の発明において、上記各弾性補強材は、ＥＶＡ（エチレン−酢酸ビニル共重合樹脂）であり、上記反発材は、ＰＰＣ（プロピレンカーボネート）であることを特徴とする。
【０００９】
請求項４記載のスリッパは、請求項１〜３のうち何れか１項記載の発明において、上記足裏側弾性補強材の表面には、指の付け根に応じた箇所に凸部が形成されてなることを特徴とする。
【考案の効果】
【００１０】
上述した構成からなる本考案では、反発材を介して土踏まずの部分においてある程度の弾性変形を許容することで、クッション性を確保することができ、土踏まずの動きに応じた追随性を確保することが可能となる。その結果、心地よい履き心地感を与えることが可能となる。また反発材を介して上方に隆起した足裏側弾性補強材は、足裏の土踏まずに常にフィットしていることから、更に履き心地を向上させることが可能となる。
【００１１】
また、この反発材を介して足裏に伝わる衝撃や振動を十分に吸収できる。更に長年の使用に応じて体重により底部材が変形してしまうのをこの反発材を介して防止でき、長期間による使用にも十分に耐えることが可能となる。
【００１２】
これに加えて、土踏まずを介して下向きの荷重が負荷しても反発材により対抗して沈み込みを防止できることから、この反発材を介して歩行をする上での上向きの反発力が土踏まずを介して加わることとなり、歩きやすさを向上させることが可能となる。
【図面の簡単な説明】
【００１３】
【図１】本考案を適用したスリッパの斜視図である。
【図２】本考案を適用したスリッパの底部材の構成について説明するための図である。
【図３】（ａ）は、反発材の平面形態を示す図であり、（ｂ）は、反発材の側面図である。
【図４】反発材を弾性補強材間に挿入した状態を示す図である。
【図５】本考案を適用したスリッパの作用について説明するための図である。
【考案を実施するための形態】
【００１４】
以下、本考案を実施するための形態について図面を参照しながら詳細に説明をする。図１は、本考案を適用したスリッパ１の斜視図である。スリッパ１は、足が載置される底部材２と、底部材２の一方縁側２ａから他方縁側２ｂにかけてアーチ状に延長されて足の甲を被覆するための甲被覆材３とを備えている。
【００１５】
底部材２と甲被覆材３との間に形成されたアーチ状の開空間４に足が挿入されることとなる。このような開空間４に足を挿入した場合に、底部材２により足から伝わる荷重を支持するとともに、甲被覆材３により足の甲を被覆し、更に歩行時には、この足の甲に接している甲被覆材３を介してスリッパ１全体を床面から浮かせて移動させることが可能となる。
【００１６】
甲被覆材３は、図１に示すようにつま先部分３ａが覆われていてもよいが、これに限定されるものではなく、つま先部分３ａが覆われていない開放状態とされていてもよい。また、この甲被覆材３は、足の甲を全体的に被覆する場合に限定されるものではなく、少なくとも一部のみ被覆するものであってもよい。換言すれば、この甲被覆材３は、細い帯状のもので構成されていてもよいし、紐状で構成されていてもよい。またこの甲被覆材３は、一方縁側２ａから他方縁側２ｂにかけて延長されて連結されていれば、その形状はいかなるものであってもよく、例えば鼻緒のような形状で構成してもよい。
【００１７】
甲被覆材３は、樹脂、布地、皮等、いかなる材料で構成されていてもよい。甲被覆材３は、布地で表層を構成するとともに、内部にスポンジ生地等を挿入するようにしてもよい。
【００１８】
底部材２は、図２に示すように、底部を構成する底部側弾性補強材２１と、足裏面が直接的に又は間接的に載置される足裏側弾性補強材２２と、各弾性補強材２１、２２の間に挿入される反発材２３とを備えている。少なくともこのような３層からなる底部材２では、更にこの足裏側弾性補強材２２の上層に例えばスポンジ生地又はウレタン素材等からなる緩衝材２４が設けられていてもよい。このような構成からなる底部材２をスリッパ１本体へ実装する場合には、これら底部材２全体を生地や樹脂等で被包するようにしてもよい。
【００１９】
底部側弾性補強材２１と、足裏側弾性補強材２２とは、それぞれ弾性材料で構成されているが、互いの弾性率は同一である場合に限定されるものではなく、互いに異なるものであってもよい。底部側弾性補強材２１、足裏側弾性補強材２２は、それぞれスポンジ、樹脂、発泡スチロール、ゴム等、弾性変形可能なあらゆる材料で構成されている。足裏側弾性補強材２２は、足からの体重が負荷された場合に、その足の形状に応じて大きく弾性変形する。また底部側弾性補強材２１は、足からの体重が足裏側弾性補強材２２、反発材２３を介して負荷された場合に、大きく弾性変形可能とされている。
【００２０】
足裏側弾性補強材２２の表面には、凸部２７が設けられていてもよい。この凸部２７の形成位置は、指の付け根に応じた箇所に形成されている。なお、この凸部２７の構成は省略するようにしてもよい。
【００２１】
このような弾性補強材２１、２２の間に挿入される反発材２３は、その平面形態が図３（ａ）に示すように足裏の形状にフィットするように設計される。具体的な足裏の形状は多岐に亘るため、ケースバイケースで最適な形状となるように設計されることとなることから、かかる図３（ａ）に示す平面形態に限定されるものではなく、いかなる平面形態として具現化するようにしてもよい。また、図３（ｂ）は、反発材２３の側面図を示している。この反発材２３は、上方に向けて凸状に屈曲された状態に成形されている。その結果、この反発材２３は、上方に向けて曲率を設けて流線型を描くような形状とされる。この反発材２３の屈曲度合や曲率は、足裏の形状にフィットするように各々設計される。反発材２３は、少なくとも弾性補強材２１、２２よりも高弾性率からなる材料で構成される。反発材２３は、例えばＰＰＣ（プロピレンカーボネート）で構成されていてもよい。
【００２２】
このような反発材２３を、弾性補強材２１、２２間に挿入すると、図４に示すように、上方に向けて屈曲されている表面２３ａが足裏側弾性補強材２２に接触され、その裏面２３ｂと底部側弾性補強材２１とは、互いに離間して間隙２６が形成されることとなる。また、足裏側弾性補強材２２は、凸状に屈曲した反発材２３により上方に押圧される結果、足裏側弾性補強材２２自身も上側に隆起することとなる。
【００２３】
次に、このような構成からなるスリッパ１を履いた場合における作用について説明をする。
【００２４】
図５（ａ）に示すように、先ず反発材２３により上方に押圧される結果、上側に隆起してなる足裏側弾性補強材２２が、足裏の土踏まずに接触してフィットすることとなる。足裏側弾性補強材２２は、弾性体で構成されていることから、図５（ｂ）に示すように足裏から負荷される荷重に応じて弾性的に収縮することとなる。また、足裏における土踏まずからも下向きの荷重が負荷することとなる。しかし、この土踏まずに応じた箇所に上述した反発材２３が挿入されている場合には、かかる土踏まずからの下向きの荷重に対して当該反発材２３が対抗することができる。上述したように反発材２３は、足裏側弾性補強材２２と比較して弾性率が高い。このため、土踏まずからの下向きの荷重に対して反発材は、足裏側弾性補強材２２と同様に弾性収縮することが無くなり、沈み込みをある程度抑えることができる。その結果、反発材２３は、図５（ｂ）に示すように、その屈曲された部位が底部側弾性補強材２１に向けて弾性的に近接する。しかし、この反発材２３の高い弾性率により、この屈曲された部位は、底部側弾性補強材２１に接触することなく、間隙２６としてはそのまま残ることとなる。
【００２５】
このようにして反発材２３を介して土踏まずの部分においてある程度の弾性変形を許容することで、クッション性を確保することができ、土踏まずの動きに応じた追随性を確保することが可能となる。その結果、心地よい履き心地感を与えることが可能となる。また反発材２３を介して上方に隆起した足裏側弾性補強材２２は、足裏の土踏まずに常にフィットしていることから、更に履き心地を向上させることが可能となる。
【００２６】
また、この反発材２３を介して足裏に伝わる衝撃や振動を十分に吸収できる。更に長年の使用に応じて体重により底部材が変形してしまうのをこの反発材２３を介して防止でき、長期間による使用にも十分に耐えることが可能となる。
【００２７】
これに加えて、土踏まずを介して下向きの荷重が負荷しても反発材２３により対抗して沈み込みを防止できることから、この反発材２３を介して歩行をする上での上向きの反発力が土踏まずを介して加わることとなり、歩きやすさを向上させることが可能となる。
【００２８】
また、足裏側弾性補強材２２の表面に上述した凸部２７を設けておくことにより、上方に隆起した足裏側弾性補強材２２を介して足裏の土踏まずに常にフィットさせつつ、足裏の滑りを凸部２７により防止でき、より安定的な歩きを実現できる。
【符号の説明】
【００２９】
１  スリッパ
２  底部材
３  甲被覆材
４  開空間
２１  底部側弾性補強材
２２  足裏側弾性補強材
２３  反発材
２４  緩衝材
２６  間隙
２７  凸部
【図１】
0003184409.tif 000003
【図２】
0003184409.tif 000004
【図３】
0003184409.tif 000005
【図４】
0003184409.tif 000006
【図５】
0003184409.tif 000007